(57)【要約】【課題】スイッチ操作の容易性を維持し、かつ、スイッチの誤作動を防止し得る安全チョッキを提供する。【解決手段】チョッキ本体１の前面及び背面に、前記本体の左右の肩部から裾部に掛けて設けた反射標識帯２，３と、前記各標識帯の部位に位置させて設けた任意数の第１の発光ダイオード５ａ…５ｎとを備えた安全チョッキであって、前記発光ダイオードを電源部６２と電気的に接続する回路を開閉するスイッチ６を、前記本体の前面側の胸部の略中央部から肩部の間における所望の部位に位置させて設け、スイッチを操作して前記ダイオードをＯＮ・ＯＦＦさせるように構成する。【選択図】図１
0003148064.tif 000002
【実用新案登録請求の範囲】
【請求項１】
チョッキ本体の前面及び背面に、前記本体の左右の肩部から裾部に掛けて設けた反射標識帯と、前記各反射標識帯の部位に位置させて設けた任意数の第１の発光ダイオードとを備えた安全チョッキであって、
前記発光ダイオードを前記本体に設けた電源部と電気的に接続する回路を開閉するスイッチは、前記本体の前面側の胸部の略中央部から前記肩部の間における所望の部位に位置させて設けられ、
前記スイッチを操作して前記発光ダイオードをＯＮ・ＯＦＦさせるように構成されている
ことを特徴とする、安全チョッキ。
【請求項２】
前記スイッチは、前記チョッキ本体の前記反射標識帯の前記部位に位置させて設けてあることを特徴とする、請求項１に記載の安全チョッキ。
【請求項３】
前記発光ダイオードは、赤色光その他の有色光発光ダイオードで構成されていることを特徴とする、請求項１に記載の安全チョッキ。
【請求項４】
前記チョッキ本体は、前面側の前記反射標識帯の部位に位置させて設けた任意数の第２の発光ダイオードをさらに備え、
前記第２の発光ダイオードは、前記反射標識帯の表面から斜め下方向に向けて光を投射するように配置して設けてあることを特徴とする、請求項１ないし３のいずれかに記載の安全チョッキ。
【請求項５】
前記第１の発光ダイオードを前記本体に設けた電源部と電気的に接続する回路を開閉するスイッチと、前記第２の発光ダイオードを前記電源部と電気的に接続する回路を開閉するスイッチは１個の切替スイッチで構成され、
前記スイッチは、前記チョッキ本体の前面側の胸部の略中央部から肩部の間における前記反射標識帯の所望の部位に位置させて設けられ、
前記スイッチを操作して前記第１の発光ダイオードの群と前記第２の発光ダイオードの群を選択的にＯＮ・ＯＦＦさせるように構成されていることを特徴とする、請求項４に記載の安全チョッキ。
【請求項６】
前記第１の発光ダイオードを前記本体に設けた電源部と電気的に接続する回路を開閉するスイッチと、前記第２の発光ダイオードを前記電源部と電気的に接続する回路を開閉するスイッチは別のスイッチで構成され、
前記両スイッチは、前記チョッキ本体の前面側の胸部の略中央部から肩部の間における前記反射標識帯の所望の部位に位置させて設けられ、
前記両スイッチのうち、一方のスイッチを操作して前記第１の発光ダイオードの群を、また、他方のスイッチを操作して前記第２の発光ダイオードの群を独立的にＯＮ・ＯＦＦさせるように構成されていることを特徴とする、請求項４に記載の安全チョッキ。
【請求項７】
前記第２の発光ダイオードは、白色光発光ダイオードで構成されていることを特徴とする、請求項４ないし６のいずれかに記載の安全チョッキ。
【考案の詳細な説明】
【技術分野】
【０００１】
本考案は、主に警察官等が交通整理や交通事故の処理、或いは検問等の際などに着用する安全チョッキに関するものである。
【背景技術】
【０００２】
従来、例えば交通整理や交通事故の処理、或いは検問等を行なう警察官等は、自身の存在を知らせて安全性を確保するために安全チョッキを着用している。従来の安全チョッキとして、チョッキ本体の前面及び背面に、チョッキ本体の左右の肩部から裾部に掛けて反射標識帯を備えたものが一般に知られている（例えば、特許文献１参照）。
前記反射標識帯は、光を照射することにより、反射して発光する。したがって、前記安全チョッキを着用することにより、車のヘッドライト等の光を受けると前記標識帯が反射するので、車の運転者等は着用者の存在を確認できるので、これにより、警察官等が交通事故に遭遇する危険性を防止することができる。
【０００３】
また、従来の安全チョッキとして、上述した安全チョッキの反射標識帯の部位に位置させて発光ダイオード（ＬＥＤ）を設けたものも知られている（例えば、特許文献２及び３参照）。この安全チョッキによれば、反射標識帯の所定部が自発光するので、特許文献１のチョッキに比べて視認性が高くなるので、安全性が向上する。
【０００４】
発光ダイオードを備えた安全チョッキは、一般にスイッチの押しボタン等のスイッチ操作部を押圧（押動）操作して発光ダイオードをＯＮ・ＯＦＦするように構成してある。そして、従来の安全チョッキは、例えば特許文献２及び３等に開示されているように、前記スイッチをチョッキ本体の前面側の裾部近くの部位、即ち、前腹部の下部側近くに位置させて設けてある。
【０００５】
ところで、警察官等は、例えば、交通事故の事故処理等の作業中等に荷物等を両手で抱えて持ち運び、或いは車輌の下側等へ腹這の姿勢で入って点検作業等を行う場合がある。しかし、従来の安全チョッキの前記スイッチは、上述したように、チョッキ本体の前腹部の下部側近くに設けてあるので、上記のような作業を行なう際に、不用意にスイッチの押しボタン等のスイッチ操作部が押されて発光ダイオードを誤作動してＯＮ・ＯＦＦするおそれを有している。
【特許文献１】実開平７−１９３０９号公報
【特許文献２】特開２００４−３０８０５０号公報
【特許文献３】特開２００６−１７６８９３号公報
【考案の開示】
【考案が解決しようとする課題】
【０００６】
本考案は上記のような実情に鑑みてなされたもので、スイッチ操作の容易性を維持し、かつ、上述したスイッチの誤作動を防止し得る安全チョッキを提供することを目的とするものである。
【課題を解決するための手段】
【０００７】
上記目的を達成するため、本考案のうち１つの考案（第１の考案）は、チョッキ本体の前面及び背面に、前記本体の左右の肩部から裾部に掛けて設けた反射標識帯と、前記各反射標識帯の部位に位置させて設けた任意数の第１の発光ダイオードとを備えた安全チョッキであって、
前記発光ダイオードを前記本体に設けた電源部と電気的に接続する回路を開閉するスイッチは、前記本体の前面側の胸部の略中央部から前記肩部の間における所望の部位に位置させて設けられ、
前記スイッチを操作して前記発光ダイオードをＯＮ・ＯＦＦさせるように構成されていることを特徴とする。
【０００８】
第１の考案において、前記スイッチは、前記チョッキ本体の前記反射標識帯の前記部位に位置させて設ける構成を採用することができる。また、前記発光ダイオードは赤色その他の有色光ダイオードで構成することができる。
【０００９】
なお、この明細書及び実用新案登録請求の範囲において、発光ダイオードについて用いている「ＯＮ」の語は、「点滅及び連続点灯」を意味する用語として、また、「ＯＦＦ」の語は、「消灯」を意味する用語として用いられている場合もある。
【００１０】
本考案のうち他の１つの考案（第２の考案）は、第１の考案の安全チョッキにおいて、前記チョッキ本体は、前面側の前記反射標識帯の部位に位置させて設けた任意数の第２の発光ダイオードをさらに備え、
前記第２の発光ダイオードは、前記反射標識帯の表面から斜め下方向に向けて光を投射するように配置して設けてあることを特徴とする。
【００１１】
第２の考案において、前記第１の発光ダイオードを前記本体に設けた電源部と電気的に接続する回路を開閉するスイッチと、前記第２の発光ダイオードを前記電源部と電気的に接続する回路を開閉するスイッチは１個の切替スイッチで構成され、
前記スイッチは、前記チョッキ本体の前面側の胸部の略中央部から肩部の間における前記反射標識帯の所望の部位に位置させて設けられ、
前記スイッチを操作して前記第１の発光ダイオードの群と前記第２の発光ダイオードの群を選択的にＯＮ・ＯＦＦさせるように構成することができる。
【００１２】
また、第２の考案において、前記第１の発光ダイオードを前記本体に設けた電源部と電気的に接続する回路を開閉するスイッチと、前記第２の発光ダイオードを前記電源部と電気的に接続する回路を開閉するスイッチは別のスイッチで構成され、
前記両スイッチは、前記チョッキ本体の前面側の胸部の略中央部から肩部の間における前記反射標識帯の所望の部位に位置させて設けられ、
前記両スイッチのうち、一方のスイッチを操作して前記第１の発光ダイオードの群を、また、他方のスイッチを操作して前記第２の発光ダイオードの群を独立的にＯＮ・ＯＦＦさせるように構成することができる。
【００１３】
さらにまた、第２の考案において、第２の発光ダイオードは、白色光発光ダイオードで構成することができる。なお、この明細書及び実用新案登録請求の範囲において、「白色光発光ダイオード」とは、白色ないし白色系の光を放射する発光ダイオード（ＬＥＤ）を意味する。白色光発光ダイオードは「白色ＬＥＤ」とも称されている。この白色ＬＥＤは赤色、青色その他の有色の光を放射する発光ダイオード（有色光ＬＥＤ）に比べて輝度が高い。したがって、第２の発光ダイオードとして白色ＬＥＤを採用すると、照明度が高くなる。
【考案の効果】
【００１４】
本考案によれば、次のような作用効果を奏する。
（１）発光ダイオードを電源と電気的に接続する回路を開閉するスイッチは、チョッキ本体の前面側の胸部の略中央部から肩部の間における所望の部位に位置させて設けてあるので、スイッチの操作を簡単かつ容易に行なうことができる。
（２）スイッチは上記（１）で述べた部位に位置させて設けてあるので、背景技術の項で説明したスイッチの誤作動の問題を解消することができる。
（３）第２の考案によれば、上記作用効果に加え、次のような作用効果を奏する。即ち、第１の考案の安全チョッキと同様に着用して安全チョッキとして使用できると共に、第２の発光ダイオードを点灯すると、光を斜め下方向に向けて放射するので、この光が照明になる。したがって、懐中電灯を使用しなくても免許証等を容易、かつ、良好に確認することができる。また、安全チョッキの着用者は両方の手がフリーになっているので、上記確認作業等を円滑、かつ、良好に行なえる。
なお、従来は、警察官等が例えば夜間において検問を実施中に、車の運転者の免許証を確認したり、車内やトランク等を点検する場合、懐中電灯を使用して上記作業を行なっている。したがって、警察官等は常時懐中電灯を携帯する必要がある。また、上記確認や点検等の作業を行なう際、一方の手で懐中電灯を持っているため、上記作業の妨げになる場合が生じることもある。
【考案を実施するための最良の形態】
【００１５】
以下、図面を参照して本考案の安全チョッキの最良の実施形態の一例について説明する。
【００１６】
図１は本考案の一実施形態の安全チョッキの全体構成を概略的に示す正面図（ａ）と背面図（ｂ）、図２は前記チョッキの前面側の反射標識帯に設けたスイッチ取付部を拡大し、その構成を示す図であって、同図（ａ）は正面図、同図（ｂ）は同図（ａ）のＡ−Ａ線断面図、図３は前記チョッキに採用される回路図の一例を概略的に示す説明図、図４は前記チョッキを着用した状態を概略的に示す正面図である。
【００１７】
上記図１〜図４において、この実施形態（実施形態１）の安全チョッキは、身体１００（図４参照）に装着するように形成したチョッキ本体１を備えている。チョッキ本体１は、本体１の前面の左右、即ち、左の前身頃１１と右の前身頃１２及び背面の左右、即ち、後身頃１３の左右に、チョッキ本体１の左右の肩部（上端部）から裾部（下端部）に掛けて縫着等により添着して設けた反射標識帯２，３を備えている。また、実施形態１のチョッキ本体１は裾部の全体にわたり、縫着等により添着して設けた反射標識帯４を備え、裾部により胴ベルト部１４が形成されている。さらにまた、実施形態１のチョッキ本体１は、後身頃１３の上部側に位置させ、両反射標識帯２，３間に掛けて縫着等で添着して設けた反射標識帯４Ａを備える。
【００１８】
前記チョッキ本体１はメッシュ生地等で造られ、適当部（実施形態１では胴ベルト部）に設けた面状ファスナ（例えば、商品名マジックテープやベルクロ、いずれも登録商標）或いはホック等の留め具により係着して衣服の上から身体の上半身へ着用するように構成されている。この実施形態１では留め具として、胴ベルト部１４の両端に面状ファスナ（図示せず）を設けた構成を採用している。
なお、留め具としては、上記以外に、例えばスライド式のファスナその他の構成のものを使用できること勿論である。
【００１９】
前記反射標識帯２，３，４及び４Ａは再帰反射性シート材や反射クロス材等の反射材で適当な巾に構成されている。実施形態１では反射標識帯として再帰反射性シート材（例えば、商品名、リフレクサイト、登録商標）で構成したものを採用している。また、実施形態１の反射標識帯２（３，４及び４Ａも同様）は、例えば図２（ｂ）に示すように、塩化ビニル等の基材シート２１に再帰反射性フィルムシート材２２を重合して高周波ウェルダー等より加工処理して両者２１，２２の両側縁部を溶着した再帰反射性シート材で構成されている。
前記再帰反射性フィルムシート材２２は無着色のもの（一般に白色と称している）や黄色やオレンジに近い赤系の色で着色したもの等があり、任意のものを選択して採用することができる。
【００２０】
チョッキ本体１は、前面側及び背面側の左右の反射標識帯２，３の部位に位置させて設けた任意数の第１の発光ダイオード５ａ…５ｎを備える。実施形態１では前面側及び背面側の両標識帯に上下方向に適当な間隔を存して夫々４個宛づつ設けた例が開示されている。なお、前記発光ダイオードの数量は任意に増減可能である。前記各発光ダイオード５ａ…５ｎとして、実施形態１では赤色系の光を放射する赤色光発光ダイオードを採用している。この場合、赤色系以外の有色光発光ダイオードを採用することもできる。
【００２１】
各発光ダイオード５ａ…５ｎは、反射標識帯２，３の裏面とチョッキ本体１の
左右の前身頃１１，１２及び後身頃１３間に配置して設けてある。反射標識帯２，３の所定部には小孔（図示せず）が設けてあり、各発光ダイオードは、先端を小孔内に挿入し、小孔から外方へ光を放射するようになして配設されている。なお、図示しないが、反射標識帯２，３の表面には透明の塩化ビニルその他の透明の保護用の樹脂フィルムシートを溶着等により設け、各発光ダイオードの先端部を保護すると共に汚染等を防止するように構成されている。
【００２２】
図３等に示すように、各発光ダイオード５ａ…５ｎは、被覆電線８等で電気的に接続されていると共にスイッチ６，電子制御回路６１を介して電池等の電源部６２と電気的に接続され、スイッチをＯＮ・ＯＦＦ操作することにより、同時に点滅（ＯＮ）・消灯（ＯＦＦ）させるように構成されている。電子制御回路６１は発光ダイオードの点滅を制御するトランジスタ等を備える。実施形態１のスイッチ６及び電子制御回路６１は制御盤６０に組み込んで設けてある。前記スイッチ６は、スイッチボタン等のスイッチ操作部６３を押圧（押動）操作することにより、開閉、即ち、発光ダイオードを電源部６２と電気的に接続する回路を開閉して各発光ダイオード５ａ…５ｎを同時にＯＮ・ＯＦＦさせるように構成されている。
【００２３】
前記スイッチ６は、チョッキ本体１の前面側の胸部の略中央部から肩部の間における所望の部位に位置させて設けられる。実施形態１では、図１（ａ）に示すように、前記本体の前面側の一方の反射標識帯２又は３（図示では左側の反射標識帯２）の鎖骨の幾分下側の部位に位置させて設けた例が開示されている。
さらに詳しくは、図２に示すように、反射標識帯２の前記部位の裏面側と左前身頃１１の生地間に、スイッチ６側を前記標識帯２側に向けた状態で制御盤６０を配置し、粘着テープ等６４で前記盤６０の裏面を左前身頃１１に接着して仮止めする。次いで前記盤６０の周囲に沿って前記標識帯２を左前身頃１１に逢着し、或いは高周波ウェルダー等により処理加工して制御盤６０を前記部位に定着固定してある。
【００２４】
上記により、スイッチ６は前記標識帯２の前記部位に位置させて安定して定着固定して設けられる。そして、前記標識帯２の表面上から操作部６３を押圧（押動）操作してスイッチ６を開閉し、各発光ダイオード５ａ…５ｎを同時にＯＮ・ＯＦＦ（点滅・消灯）するように構成されている。この場合、所望に応じ、制御盤６０（具体的にはスイッチ操作部６３）を設けた位置における前記標識帯２の表面に、図形や「スイッチ」等の文字等よりなる指標（図示せず）を印刷その他の手段で表記することができる。前記指標（めじるし）を設ける構成を採用すると、スイッチの位置を目で見て容易に確認することができる。
【００２５】
前記本体１の適当部（実施形態では左前身頃１１の裏面側）には電池等の電源部収納用のポケット６５が設けてある。電源部６２（電池等）はケース（図示せず）に収納され、前記ポケット６５内に出し入れ自由に収容してある。
【００２６】
実施形態１の安全チョッキは上記のように構成され、図４に示すように、従来の安全チョッキと同様に衣服の上から身体１００の上半身に着用するものである。そして、スイッチ操作部６３を押圧操作してスイッチをＯＮ（閉成）すると、第１の各発光ダイオード５ａ…５ｎが同時に点滅し、これにより、チョッキ着用者の被認性を高める。また、スイッチ６は上述した位置に設けてあるので、従来例の項で述べたようなスイッチの誤動作の問題を解消することができる。
【００２７】
なお、実施形態１では、スイッチ６を操作して前記各発光ダイオードを点滅させるように構成した例を開示したが、前記スイッチ６を切替スイッチで構成し、前記各発光ダイオードを点滅→連続点灯→消灯のように三段式に切替操作するように構成してもよい。
【００２８】
図５は本考案の他の実施形態（実施形態２）の安全チョッキの全体構成を概略的に示す正面図（ａ）と背面図（ｂ）、図６は前記チョッキの前面側の反射標識帯の一部を拡大し、その構成を概略的に示す正面図（ａ）と縦断面図（ｂ）、図７は前記反射標識帯に設けた第１及び第２の発光ダイオードの取付部分を拡大し、その構成を概略的に示す説明図、図８は前記チョッキに採用した第１の発光ダイオードの構成を概略的に示す側面図、図９は同じく第２の発光ダイオードの構成を概略的に示す側面図、図１０は前記チョッキに採用される回路図の一例を概略的に示す説明図である。
【００２９】
実施形態２の安全チョッキにおいて、実施形態１で既に説明した構成と共通する構成部等には同一符号を付して説明を省略する。実施形態２の安全チョッキは、第２の発光ダイオードを設けた構成等に特徴がある。
【００３０】
実施形態２の安全チョッキのチョッキ本体１は、第１の発光ダイオード５ａ…５ｎと第２の発光ダイオード７ａ…７ｎとを備える。第１の発光ダイオードについては追って説明する。
【００３１】
第２の発光ダイオード７ａ…７ｎは、前記本体１の前面側の左右の前記両反射標識帯２，３の部位に位置させて任意数設けてある。実施形態２では、両標識帯２，３の上下方向に適当な間隔を存して４個宛づつ設けた例が開示されている。なお、前記発光ダイオードの数量は任意に増減可能である。前記各発光ダイオード７ａ…７ｎとして、実施形態２では白色光発光ダイオード（白色ＬＥＤ）を採用している。
【００３２】
実施形態の各第２の発光ダイオード７ａ…７ｎは、図９に最も詳細に示すように、先端を球状面に形成した無色透明又は半透明の円柱状体の基端からリード線７１，７２を取り出し、円柱状体の基端から軸方向へ光を放射するように構成したものを採用している。
【００３３】
前記各発光ダイオード７ａ…７ｎ（白色ＬＥＤ）は、後述するように電気的に接続して配設され、スイッチをＯＮ・ＯＦＦ操作することにより、同時に点灯（ＯＮ）・消灯（ＯＦＦ）させるように構成してある。
なお、実施形態２では、第２の発光ダイオードとして、上述したように白色ＬＥＤを採用しているが、これは一例として開示したもので、上記に限定するものではない。例えば、白色ＬＥＤに代え、ライトブルー系や黄色系その他の輝度が高い（照明度が高い）光を放射する有色光発光ダイオードを採用することもできる。
【００３４】
前記各発光ダイオード７ａ…７ｎは、それぞれの前記両標識帯２及び３の表面から斜め下方向に向けて適当な角度で光を放射させるように配置して設けてある。前記光の放射角度は特に限定するものではなく、適当に決定する。
【００３５】
この実施形態２では、前記両標識帯２，３に上下方向に適当な間隔を存して適当な大きさ、形状（図示では略楕円形）の孔２３が開設してあると共に各孔２３を閉塞する保護用の透明カバー体２４…２４を備えている。前記各カバー体２４は透明プラスチック等で形成され、前記両標識帯２，３の表面に膨出させるようにして前記孔２３を閉塞し、高周波ウェルダー等によりカバー体２４の周縁を前記孔２３の周縁部に溶着して前記標識帯に設けてある。これにより、両標識帯２，３には前記カバー体２４により収容部２５が形成されている。そして、前記各発光ダイオード７ａ…７ｎはそれぞれ前記カバー体２４（収容部２５）内に位置させて設けられる。
【００３６】
実施形態２の前記各発光ダイオード７ａ…７ｎは適当な大きさに形成した基板３０…３０に取付けて設けてある。実施形態２の各基板３０には、図７に詳細に示すように、絶縁板３１の一方の面上に銅板等よりなる４本の電気回路３２ａ，３２ｂ，３２ｃ，３２ｄを並べて設けてある。前記各基板３０の前記回路３２ａは被覆電線９等の一方の線９ａと半田付け等により結線されていると共に前記回路３２ｄは被覆電線９等の他方の線９ｂと半田付け等により結線されている。
【００３７】
前記各発光ダイオード７ａ…７ｎは、一方のリード線７１を基板３０の前記回路３２ａに半田付け等により結線すると共に他方のリード線７２を基板３０の前記回路３２ｄに半田付け等により結線して各基板３０に１個宛づつ取付けてある。これにより各発光ダイオード７ａ…７ｎは電気的に接続されている。
【００３８】
各発光ダイオード７ａ…７ｎは、図１０に示すように、被覆電線９等で電子制御回路６１、スイッチ６Ａを介して電池等の電源部６２と電気的に接続され、スイッチ６Ａを操作することにより、同時に連続点灯（ＯＮ）・消灯（ＯＦＦ）させるように構成されている。
【００３９】
実施形態２のスイッチ６Ａは、図１０に示すように、第１の発光ダイオード５ａ…５ｎのＯＮ・ＯＦＦ用のスイッチ６ａと、第２の発光ダイオード７ａ…７ｎのＯＮ・ＯＦＦ用のスイッチ６ｂと、ＯＦＦ点６ｃとを有する切替スイッチで構成されている。前記スイッチ６Ａは、スイッチ操作部６３を押動操作することにより、スイッチの切替操作を行なうように構成されている。即ち、前記操作部６３を押動操作してスイッチ６ｂを開閉することにより、第２の発光ダイオード７ａ…７ｎの群を同時にＯＮ・ＯＦＦさせ、また、スイッチ６ａを開閉することにより、第１の発光ダイオード５ａ…５ｎの群を同時にＯＮ・ＯＦＦさせるように構成してある。
【００４０】
前記各発光ダイオード７ａ…７ｎは上述したように各基板３０に取付けられ、前記両標識帯２，３の表面から斜め下方向へ向けて適当な角度で光を放射させるように、前記カバー体２４の収容部２５内に位置させて１個宛づつ配置して設けてある。この実施形態２では、前記各ダイオード７ａ…７ｎが所定の方向へ向くように、両リード線７１，７２を折り曲げて各ダイオード７ａ…７ｎを板３１に対して適当な角度に傾斜させてある。また、基板３０の表面と各発光ダイオード７ａ…７ｎの前記円柱状体との間には、スポンジ材等で構成した弾性保護部材７３が介装して設けてある。そして、各発光ダイオード７ａ…７ｎをカバー体２４内に所定の方向に向けて収容すると共に各基板３０を粘着テープ等７４によりそれぞれ両標識帯２，３の裏面に固定してある。これにより、スイッチ６ｂを閉成（ＯＮ）すると、各発光ダイオード７ａ…７ｎは同時に点灯（連続点灯）し、両標識帯２，３の表面から斜め下方向に向けて光（実施形態２では白色光）を放射するように構成してある。
【００４１】
実施形態２の第１の発光ダイオード５ａ…５ｎは、実施形態１と同様に前面及び背面の各反射標識帯２，３の上下方向に適当な間隔を存して４個宛づつ設けてある。第１の発光ダイオード５ａ…５ｎは、後述するように電気的に接続して配設され、切替スイッチ６Ａのスイッチ６ａを開閉（ＯＮ・ＯＦＦ）することにより、電子制御回路６１で制御して同時にＯＮ（点滅）・ＯＦＦ（消灯）させるように構成してある。
【００４２】
実施形態２の第１の発光ダイオード５ａ…５ｎは、図８に最も詳細に示すように、四角形状に形成した本体の裏面側の両側からリード線５１，５２を取り出した構成のものを採用している。なお、第１の発光ダイオード５ａ…５ｎは、第２の発光ダイオード７ａ…７ｎと同様の構成のものを採用してもよいこと勿論である。
【００４３】
実施形態２の第１の発光ダイオード５ａ…５ｎのうち、チョッキ本体１の前面側の反射標識帯２，３に配置される発光ダイオード５ａ…５ｄ、及び５ｍ…５ｎは、前記第２の発光ダイオード７ａ…７ｎを取付けた基板３０…３０上にそれぞれ１個宛づつ取付けて設けてある。
前記各基板３０の前記回路３２ｂは、図７に示すように、第２の発光ダイオード用の被覆電線８等の一方の線８ａと半田付け等により結線されていると共に前記回路３２ｃは前記電線８等の他方の線８ｂと半田付け等により結線されている。
【００４４】
前記チョッキ本体１の前面側に配置される各発光ダイオード５ａ…５ｄ、及び５ｍ…５ｎは、一方のリード線５１を基板３０の前記回路３２ｂに半田付け等により結線すると共に他方のリード線５２を基板３０の前記回路３２ｃに半田付け等により結線して各基板３０に１個宛づつ取付けてある。また、チョッキ本体１の背面側に配置される各発光ダイオード５ｅ…５ｌは、一方のリード線５１を前記電線８の一方の線８ａと、また、他方のリード線５２を前記電線８の他方の線８ｂと基板（図示せず）を介し、或いは直接的に接続され、図１０に示すように、被覆電線８等により電子制御回路６１、スイッチ６Ａを介して電池等の電源部６２と電気的に接続されている。
【００４５】
そして、スイッチ６Ａを操作することにより、同時にＯＮ・ＯＦＦさせるように構成されている。さらに具体的にはスイッチ操作部６３を押動操作してスイッチ６ａを開閉することにより、電子制御回路６１で制御して第１の発光ダイオード５ａ…５ｎの群を同時に点滅（ＯＮ）・消灯（ＯＦＦ）させるように構成してある。これにより、スイッチ６Ａを操作して第１の発光ダイオード５ａ…５ｎの群と第２の発光ダイオード７ａ…７ｎの群を選択的にＯＮ・ＯＦＦさせるように構成してある。他の構成は実施形態１と同様である。
【００４６】
実施形態２の安全チョッキは上記のように構成され、従来の安全チョッキと同様に衣服の上から身体１００の上半身に着用するものである。そして、スイッチ操作部６３を操作してスイッチ６ａをＯＮ（閉成）すると、第１の各第１の発光ダイオード５ａ…５ｎが点滅し、これにより、チョッキ着用者の視認性を高める。
また、前記操作部６３を操作してスイッチ６ｂをＯＮ（閉成）すると、第２の各発光ダイオード７ａ…７ｎが点灯し、両反射標識帯の表面から斜め下方向に向けて光が放射されるので、この光が照明光になり、例えば、免許証等を明確に見ることができる。したがって、従来のように懐中電灯を使用しなくても免許証等の確認作業等を容易に行なうことができる。また、チョッキ着用者は、両方の手がフリーになっているので、上記確認作業等を円滑、かつ、良好に行なえる。
さらにまた、第２の各発光ダイオードを点灯すると、チョッキ着用者が歩行する際の照明灯の作用も発揮する。
【００４７】
上記したように、実施形態２では、スイッチ６Ａを操作して第１の発光ダイオードと第２の発光ダイオードを選択的にＯＮ・ＯＦＦするように構成した例を開示したが、第１の発光ダイオードを電源部６２と電気的に接続する回路を開閉するスイッチと、第２の発光ダイオードを電源部６２と電気的に接続する回路を開閉するスイッチを別のスイッチで構成し、一方のスイッチを操作して第１の発光ダイオードの群を、また、他方のスイッチを操作して第２の発光ダイオードの群を独立的にＯＮ・ＯＦＦさせる構成を採用してもよいものである。
【００４８】
なお、上記した各実施形態は一例として開示したもので、本考案は上記実施形態に限定されるものではなく、実用新案登録請求の範囲に記載の技術思想を越脱しない範囲において任意に変更可能なものである。
【図面の簡単な説明】
【００４９】
【図１】本考案の一実施形態の安全チョッキを示す図であって、同図（ａ）は前記チョッキの全体構成を概略的に示す正面図、同図（ｂ）は同じく背面図である。
【図２】前記安全チョッキの前面側の反射標識帯に設けたスイッチの取付部分を拡大し、その構成を概略的に示す図であって、同図（ａ）は正面図、同図（ｂ）は同図（ａ）のＡ−Ａ線断面図である。
【図３】前記安全チョッキに採用される回路図の一例を概略的に示す説明図である。
【図４】前記安全チョッキを着用した状態を概略的に示す正面図である。
【図５】本考案の他の実施形態の安全チョッキを示す図であって、同図（ａ）は前記チョッキの全体構成を概略的に示す正面図、同図（ｂ）は同じく背面図である。
【図６】図５の前記チョッキの前面側の反射標識帯の一部を拡大し、その構成を概略的に示す図であって、同図（ａ）は正面図、同図（ｂ）は縦断面図である。
【図７】前記反射標識帯に設けた第１及び第２の発光ダイオードの取付部分を拡大し、その構成を概略的に示す図であって、同図（ａ）は基板に第１及び第２の発光ダイオードを取付けた状態を示す正面図、同図（ｂ）は側面図、同図（ｃ）は前記発光ダイオードの取付部分を示す拡大横断面図である。
【図８】図５の前記チョッキに採用した第１の発光ダイオードの一例の構成を概略的に示す側面図である。
【図９】図５の前記チョッキに採用した第２の発光ダイオードの一例の構成を概略的に示す側面図である。
【図１０】図５の前記チョッキに採用される回路図の一例を概略的に示す説明図である。
【符号の説明】
【００５０】
１            チョッキ本体
２，３        反射標識帯
５ａ…５ｎ    第１の発光ダイオード
６            スイッチ
６２          電源部
【図１】
0003148064.tif 000003
【図２】
0003148064.tif 000004
【図３】
0003148064.tif 000005
【図４】
0003148064.tif 000006
【図５】
0003148064.tif 000007
【図６】
0003148064.tif 000008
【図７】
0003148064.tif 000009
【図８】
0003148064.tif 000010
【図９】
0003148064.tif 000011
【図１０】
0003148064.tif 000012